(57)【要約】【課題】乾燥器本体上に固定した後蓋と、これに回転自在に取付けた中蓋と前蓋とによりドーム形の乾燥室を形成した食器乾燥器において、中蓋と前蓋の開閉時における衝撃を緩和するブレーキ装置を蓋が大型化しても十分に緩衝作用が発揮できるようにすることである。【解決手段】食器乾燥器の中蓋３に設けた中蓋ワイヤ巻付け部２６にワイヤ４２を巻付け、そのワイヤ４２を介して連結した中蓋付勢ばね４４により中蓋３を開放方向に付勢し、前記の中蓋３の前縁に係合された前蓋４に前蓋ワイヤ巻付け部３８を設け、その前蓋ワイヤ巻付け部３８に巻付けたワイヤ４５を介して連結した前蓋付勢ばね４６により前蓋４を閉鎖方向に付勢し、中蓋３の全開時に前蓋付勢ばね４６により緩衝し、前蓋４の全閉時に中蓋付勢ばね４４により緩衝させるようにした。【選択図】  図６
2004351098.tif 000002
【特許請求の範囲】
【請求項１】
乾燥器本体上に固定した後蓋、前記後蓋に対して回転自在に取付けられた中蓋と前蓋とにより前記本体上にドーム形の乾燥室を形成し、前記中蓋の前端縁に設けた係合リブに前蓋の後端縁に設けた係合リブを係合し、前記中蓋と前蓋とを前方から後方に開放して後蓋外面に重ねた全開状態と、前記中蓋と前蓋とを前方に回動させて後方から後蓋、中蓋及び前蓋の順に閉鎖した全閉状態がとれるようにし、前記中蓋と前蓋の回転部分にブレーキ装置を設けてなる食器乾燥器において、前記ブレーキ装置を前記中蓋のボス部に該中蓋を開放方向に付勢するように取付けられた中蓋付勢ばねと、前記前蓋のボス部に該前蓋を閉鎖方向に付勢するように取付けられた前蓋付勢ばねとにより構成し、前記中蓋付勢ばねと前蓋付勢ばねによる反対方向のトルクが実質的にバランスし、全閉状態にある前蓋を使用者が持ち上げて開放させた際に該前蓋と中蓋の自重による総合トルクが開放方向に作用して蓋を全開せしめ、全開状態にある前蓋を使用者が引き下ろして閉鎖させた際に該前蓋と中蓋の自重による総合トルクが閉鎖方向に作用して蓋を全閉させることを特徴とする食器乾燥器。
【請求項２】
中蓋のボス部と前蓋のボス部にそれぞれ回転中心と同芯状の中蓋ワイヤ巻付け部と前蓋ワイヤ巻付け部を設け、前記中蓋ワイヤ巻付け部に中蓋の開放方向にトルクが生じるように巻付けたワイヤに前記の中蓋付勢ばねを連結し、前記前蓋ワイヤ巻付け部に前蓋の閉鎖方向にトルクが生じるように巻付けたワイヤに前記の前蓋付勢ばねを接続し、かつこれらの各付勢ばねを引張り型のコイルばねにより形成したことを特徴とする請求項１に記載の食器乾燥器。
【請求項３】
前記中蓋のボス部の回転中心の周りに凹部を設け、その凹部の周壁に前記の中蓋ワイヤ巻付け部を形成し、前記前蓋のボス部の回転中心の周りに前記凹部と同芯状に嵌合された小径凹部を設け、その小径凹部の周壁に前記の前蓋ワイヤ巻付け部を設けたことを特徴とする請求項２に記載の食器乾燥器。
【請求項４】
前記中蓋ワイヤ巻付け部を左右何れか一方の中蓋のボス部に設けるとともに、その反対側に前記前蓋ワイヤ巻付け部を設けたことを特徴とする請求項２又は３に記載の食器乾燥器。
【請求項５】
前記中蓋と前蓋の左右同じ側の各ボス部にそれぞれ回転中心から一定距離をおいて中蓋ばね係止部と前蓋ばね係止部を設け、前記中蓋ばね係止部と前記後蓋の一部に設けた固定部ばね係止部との間に中蓋の開放方向にトルクが生じるように圧縮型ばねでなる前記中蓋付勢ばねを介在し、前記前蓋ばね係止部と前記固定部に設けた固定ばね係止部との間に前蓋の閉鎖方向にトルクが生じるように圧縮型ばねでなる前記前蓋付勢ばねを介在したことを特徴とする請求項１に記載の食器乾燥器。
【発明の詳細な説明】
【０００１】
【発明の属する技術分野】
この発明は、食器乾燥器に関し、特に蓋のブレーキ装置に関するものである。
【０００２】
【従来の技術】
従来から知られている食器乾燥器として、乾燥器本体上に後蓋を固定するとともに、その後蓋に設けた左右の軸部に中蓋と前蓋を回転自在に取付け、これらの後蓋、中蓋及び前蓋とによりドーム形の乾燥室を形成し、前記本体に設けた熱風吹き出し口から乾燥室内部に熱風を吹き込むことにより内部の食器を乾燥させるようにしたものがある。この種の食器乾燥器は、使用者が前蓋を持ち上げ開放させるとともにこれに中蓋を連動させ、両者を後蓋外面に重ねることにより蓋を全開させ、またその逆の操作により蓋を全閉させるようになっている。
【０００３】
前記の蓋の開閉時においては、前蓋や中蓋にはその自重によって慣性が生じるため、開閉操作の途中で手が滑るなどして前蓋から手が離れることがあると、前蓋や中蓋が衝撃音を伴って全開又は全閉される問題がある。
【０００４】
このため、従来から中蓋や前蓋の回転部分にブレーキ装置を設け、それらの衝撃を緩和して衝撃音の発生を抑制することが行われている。そのブレーキ装置として、蓋の回転中心の周りに設けた円弧状の弾性片を固定側の一部に接触させることによって弾性片をベンディングさせ、これにより摩擦トルクを発生させ蓋の開閉にブレーキをかけるようにしたものが知られている（特許文献１及び特許文献２）。
【０００５】
【特許文献１】
特開２００２−５１９６６号公報（実施例、段落００３０）
【特許文献２】
特開２００１−１７３７５号公報（実施例、段落００１９）
【０００６】
【発明が解決しようとする課題】
前記のような従来のブレーキ装置によると、弾性片を回転軸の周りに設ける必要があることから、回転中心から弾性片の接触位置までの半径方向の距離に制限があるとともに、弾性片の弾力にも一定の限度があるため、得られる摩擦トルクに制限があり、大形の蓋の場合には十分な緩衝作用ができない問題があった。また、蓋の全閉時に前記の緩衝作用を発揮させるべく大きい摩擦トルクを発生させるようにすると、逆に蓋を開放するときに手に加わる抵抗が大きくなり、却って使用性が低下する問題もあった。
【０００７】
そこで、この発明は、摩擦トルクによるブレーキに変えて、蓋開閉時のトルクに対して反対方向のトルクを加えることにより蓋開閉時の緩衝を図るようにしたブレーキ装置を有する食器乾燥器を提供することを課題とする。
【０００８】
【課題を解決するための手段】
上記の課題を解決するために、この発明は、乾燥器本体上に固定した後蓋、前記後蓋に対して回転自在に取付けられた中蓋と前蓋とにより前記本体上にドーム形の乾燥室を形成し、前記中蓋の前端縁に設けた係合リブに前蓋の後端縁に設けた係合リブを係合し、前記中蓋と前蓋とを前方から後方に開放して後蓋外面に重ねた全開状態と、前記中蓋と前蓋とを前方に回動させて後方から後蓋、中蓋及び前蓋の順に閉鎖した全閉状態がとれるようにし、前記中蓋と前蓋の回転部分にブレーキ装置を設けてなる食器乾燥器において、前記ブレーキ装置を前記中蓋のボス部に該中蓋を開放方向に付勢するように取付けられた中蓋付勢ばねと、前記前蓋のボス部に該前蓋を閉鎖方向に付勢するように取付けられた前蓋付勢ばねとにより構成し、前記中蓋付勢ばねと前蓋付勢ばねによる反対方向のトルク（Ｔ１、Ｔ２）が実質的にバランスし、全閉状態にある前蓋を使用者が持ち上げて開放させた際に該前蓋と中蓋の自重による総合トルク（Ｔ３＋Ｔ４）が開放方向に作用して蓋を全開せしめ、全開状態にある前蓋を使用者が引き下ろして閉鎖させた際に該前蓋と中蓋の自重による総合トルク（Ｔ３＋Ｔ４）が閉鎖方向に作用して蓋を全閉させる構成を採用した。
【０００９】
前記の構成によると、全閉状態にある蓋を開放するに際して、使用者が前蓋を持ち上げ、閉鎖方向に作用している前蓋と中蓋の自重による総合トルク（Ｔ３＋Ｔ４）を上回るトルク（Ｔ５）を加えると、前蓋と中蓋が開放される。全閉時において中蓋の重心はその回転中心のほぼ直上にあるので、中蓋の自重によるトルクＴ３はほぼゼロである。従って、使用者が前蓋に加える力は前蓋の自重によるトルクＴ４のみを上回る大きさでよい。開放が一定以上進み自重で開放される慣性が生じる時点で手が前蓋から離れた場合、まず中蓋が先に全開される。その際の閉鎖方向の総合トルク（Ｔ３＋Ｔ４）のうち前蓋のトルクＴ４はマイナスか実質的にゼロであるので、中蓋にはその自重によるトルクＴ３以下又は実質的にＴ３による慣性が発生するが、その慣性は該中蓋の前縁に係合された前蓋を通じて前蓋付勢ばねの弾性により吸収され、全開時の衝撃が緩和される。引き続き前蓋が全開される際の前蓋の自重によるトルクＴ４による慣性も前蓋付勢ばねの弾性により吸収され緩衝される。逆に、前蓋を閉鎖させる場合は、開放方向に作用している前蓋と中蓋の自重による総合トルク（Ｔ３＋Ｔ４）を上回るトルク（Ｔ５）を前記と反対方向（閉鎖方向）に加える。その閉鎖が一定以上進んで自重で閉鎖される慣性が生じる時点で手が前蓋から離れると、前蓋の自重によるトルクＴ４による慣性は、該前蓋の後縁に係合された中蓋を通じて中蓋付勢ばねの弾性により吸収され緩衝される。
【００１０】
前記中蓋付勢ばねと前蓋付勢ばねの一層具体的な構成として、中蓋のボス部と前蓋のボス部にそれぞれ回転中心と同芯状の中蓋ワイヤ巻付け部と前蓋ワイヤ巻付け部を設け、前記中蓋ワイヤ巻付け部に中蓋の開放方向にトルクが生じるように巻付けたワイヤに前記の中蓋付勢ばねを連結し、前記前蓋ワイヤ巻付け部に前蓋の閉鎖方向にトルクが生じるように巻付けたワイヤに前記の前蓋付勢ばねを接続し、かつこれらの各付勢ばねを引張り型のコイルばねにより形成した構成をとることができる。
【００１１】
上記の構成によると、中蓋と前蓋に作用する付勢トルクの大きさを、それぞれのワイヤ巻付け部の径と引張り型コイルばねからなる付勢ばねのばね係数の選定により、広範囲にわたり設定することができる。
【００１２】
また、前記中蓋のボス部の回転中心の周りに凹部を設け、その凹部の周壁に前記の中蓋ワイヤ巻付け部を形成し、前記前蓋のボス部回転中心の周りに前記凹部と同芯状に嵌合された小径凹部を設け、その小径凹部の周壁に前記の前蓋ワイヤ巻付け部を設けた構成をとることができる。この構成によると、左右いずれか一方の回転部分において中蓋ワイヤ巻付け部と前蓋ワイヤ巻付け部の両方を設けることができ、しかも中蓋側の凹部と前蓋側の小径凹部との軸方向の嵌合により、ブレーキ装置の軸方向のサイズを小さく設定することができる。
【００１３】
なお、前記中蓋ワイヤ巻付け部を左右何れか一方の中蓋のボス部に設けるとともに、その反対側に前記前蓋ワイヤ巻付け部を設けた構成をとることができる。この構成はブレーキ装置を左右の回転部分に２分して配置するものであり、力の係り具合が左右に分散される利点がある。
【００１４】
さらに、中蓋と前蓋の左右同じ側の各ボス部にそれぞれ回転中心から一定距離をおいて中蓋ばね係止部と前蓋ばね係止部を設け、前記中蓋ばね係止部と前記固定部に設けた固定部ばね係止部との間に中蓋の開放方向にトルクが生じるように圧縮型ばねでなる前記中蓋付勢ばねを介在し、前記前蓋ばね係止部と前記固定部に設けた固定ばね係止部との間に前蓋の閉鎖方向にトルクが生じるように圧縮型ばねでなる前記前蓋付勢ばねを介在した構成をとることができる。この構成によると付勢ばねとして圧縮型のばねを使用することができるので、引張り型のばねを使用するものにくらべ、ブレーキ装置がコンパクトになる利点がある。
【００１５】
【発明の実施形態】
以下、添付図面に基づいてこの発明の実施形態を説明する。図１に示すように、第１の実施形態の食器乾燥器は、本体１上の後部に後蓋２、上部に中蓋３、前部に前蓋４を設け、全体としてドーム状の乾燥室５（図２、図６参照）を形成したものである。本体１には熱風の吹き出し口６が設けられ、食器かご７が出し入れ自在に設置される。
【００１６】
後蓋２は、図２に示すように、左右の扇形の側板８、８とその間に設けられたドーム壁９とからなり、両方の側板８、８に軸支持部１１、１１が設けられ、その軸支持部１１、１１の下端部が、本体１の左右両側部に設けた凹部１２に着脱自在に嵌入され、ビス１５により固定される（図４（ｂ）参照）。各軸支持部１１には所定高さにおいて外方に突き出した軸部１３が設けられ、また周縁に外向きの外周壁１４が設けられる。また、前記の後蓋２の前縁には外方に突き出した係合リブ１８が設けられる。
【００１７】
中蓋３は、図２に示すように、左右の扇形の側壁１９、１９とその間に設けられたドーム壁２１とからなり、各側壁１９の下端に円板形のボス部２２が設けられる。また、中蓋３の前端縁に外向きの係合リブ２４が設けられるとともに、後端縁に内向きの係合リブ２５（図６参照）が設けられる。前記のボス部２２にスリーブ状の軸受２３を中心とした凹部２７がその外側面に設けられ（図３参照）、ボス部２２の内面側に突き出した凹部２７の周壁が中蓋ワイヤ巻付け部２６となっている。その中蓋ワイヤ巻付け部２６には対向位置に小穴２８と長穴２９が設けられ、中蓋３が閉鎖状態にある場合に、小穴２８が軸受２３を挟んで上位に位置し、長穴２９が下位に位置する（図４（ａ）参照）。また、その小穴２８の位置よりも中蓋３の前端側に若干ずれた位置において、前記凹部２７に突部３１が設けられる。
【００１８】
前記の中蓋３は後蓋２の外側に嵌合され（図４（ｂ）参照）、ボス部２２の軸受２３に後蓋２の軸部１３が挿入されることにより、中蓋３は前後方向に回転自在に支持される。また、中蓋３の後端縁に設けた内向きの係合リブ２５が後蓋２の外向き係合リブ１８の後面に係合され（図６参照）、中蓋３の閉鎖方向への一定以上の回転が規制される。
【００１９】
前記の前蓋４は、図２に示すように、左右の側壁３２、３２の間にドーム壁３３を設けたものであり、各側壁３２は後端側が扇形、前端側が矩形の複合形状をなし、ドーム壁３３も側壁３２の形状に従って後端側が円弧面、前端側が矩形面の複合面となっている。ドーム壁３３の後端縁に内向きの係合リブ３４が設けられる。各側壁３２に円板形のボス部３５が設けられ、Ｃ形スリーブ状の軸受３６を中心とした凹部３７が外側面に設けられる（図３参照）。その内面側に突き出した凹部３７の周壁が前蓋ワイヤ巻付け部３８となっている。その前蓋ワイヤ巻付け部３８に小穴３９が設けられる。その小穴３９より後端側に若干ずれた位置において前記凹部３７に突部４１が設けられる。前蓋ワイヤ巻付け部３８は、前記の中蓋ワイヤ巻付け部２６より小径に形成される。
【００２０】
前記の前蓋４は中蓋３の外側に嵌合され（図４（ｂ）参照）、中蓋３の凹部２７の外面に前蓋４の凹部３７が嵌合されるとともに、中蓋３の軸受２３に前蓋４の軸受３６が嵌合される。これにより前蓋４が中蓋３と後蓋２に対し前後方向に回転自在に支持される。また、前蓋４の内向きの係合リブ３４の内面が中蓋３の外向きの係合リブ２４の外面に係合される（図６参照）。
【００２１】
前記後蓋２の前端部に設けた軸支持部１１の軸部１３に、前述のように、中蓋３の軸受２３を嵌合するとともに、その軸受２３に前蓋４の軸受３６を嵌合し、中蓋３及び前蓋４を最も前方に回転させた全閉状態において、図４（ａ）及び図６に示すように、中蓋３は軸支持部１１の上方に位置し、中蓋ワイヤ巻付け部２６に設けた小穴２８は軸部１３の直上にある。また、前蓋ワイヤ巻付け部３８の小穴３９は、軸部１３の直上よりも前蓋４の開放方向に見て若干位相遅れの位置にある。図４（ａ）から明らかなように、前蓋ワイヤ巻付け部３８は、中蓋ワイヤ巻付け部２６に設けた前記の長穴２９の両端間の見通し範囲に含まれ、この長穴２９に後述のワイヤ４５を挿通させることにより、ワイヤ４５と中蓋ワイヤ巻付け部２６との干渉を防止している。
【００２２】
前記の中蓋３のボス部２２において、その突部３１に一端部を係合したワイヤ４２が中蓋ワイヤ巻付け部２６の小穴２８から引き出され、その外周面に中蓋３の開放方向（図４（ａ）の矢印Ａ参照）に沿わせている。また、前記軸支持部１１の下端に設けたばね受け部材４３に中蓋３を開放方向へ付勢する中蓋付勢ばね４４の下端が連結され、その上端と前記のワイヤ４２とが連結される。中蓋３の全閉時において、ワイヤ４２が最も長く巻き取られ、中蓋付勢ばね４４は最も伸長した状態にある。
【００２３】
また、前蓋４のボス部３５において、その突部４１に一端部を結合した他のワイヤ４５を前蓋ワイヤ巻付け部３８の小穴３９から引き出し、その外周面に蓋閉鎖方向（図４（ａ）矢印Ｂ参照）に沿わせるとともに、前記の長穴２９に挿通している。前記軸支持部１１の下端に設けたばね受け部材４３に前記の中蓋付勢ばね４４と並んで前蓋４を閉鎖方向へ付勢する前蓋付勢ばね４６の下端が連結され、その上端と前記のワイヤ４５とが長穴２９の外において連結される。前蓋４が全閉状態において前蓋付勢ばね４６は最も収縮した状態にある。
【００２４】
前記の中蓋付勢ばね４４の弾性がワイヤ４２を介して中蓋ワイヤ巻付け部２６に作用して中蓋３を開放方向に回転させるトルクＴ１（図６参照）と、前蓋付勢ばね４６の弾性がワイヤ４５を介して前蓋ワイヤ巻付け部３８に作用して前蓋４を閉鎖方向に回転させるトルクＴ２とは、方向反対であって大きさが等しくなるように設定される。トルクＴ１とトルクＴ２は回転半径が前者の方が大きいので、ばね係数は後者トルクＴ２を発生させる前蓋付勢ばね４６の方が大きく設定される。
【００２５】
なお、中蓋３と前蓋４との重量その他を考慮してＴ１＞Ｔ２又はＴ１＜Ｔ２に設定される場合もあるが、以下の説明ではＴ１＝Ｔ２とする。
【００２６】
前記のように、ワイヤ４２と中蓋付勢ばね４４及びワイヤ４５と前蓋付勢ばね４６を取付けた状態で軸支持部１１にカバー部材４７（図３参照）が被せられる。このカバー部材４７は前記の軸部１３の内部に嵌入される突起４８を有し、その突起４８の先端に設けた抜け止めつば４９（図４（ｂ）参照）を軸部１３の後端に係合させることにより、軸支持部１１と中蓋３のボス部２２及び前蓋４のボス部３５とを一体化させる。
【００２７】
なお、前記のカバー部材４７の内面には前記の付勢ばね４４、４６を収納する各２本のリブ５１、５２が設けられる。
【００２８】
前記の後蓋２の正面に向かって左側の軸支持部１１（図５参照）においては、その軸部１３に中蓋３のボス部２２の軸受２３、及び前蓋４のボス部３５の軸受３６がそれぞれ嵌合され、さらにカバー部材４７の突起４８がその軸部１３に嵌入される。この左側の軸支持部１１においては右側に設けたような付勢ばね４４、４６、ワイヤ４２、４５は設けられない。
【００２９】
いま、図６に示すように、中蓋３と前蓋４がともに全閉状態にある場合において、中蓋付勢ばね４４によるトルクをＴ１、前蓋付勢ばね４６のトルクをＴ２、中蓋３の重心Ｇ３におけるトルクをＴ３、前蓋４の重心Ｇ４におけるトルクをＴ４、前蓋４の取手５３に使用者が加える開放方向のトルクをＴ５とする。中蓋３の重心Ｇ３の位置は軸部１３の中心Ｏに立てた鉛直線Ｏ−Ｏ’と軸部１３の中心を含む面より若干後方（開放側）に寄っている。前述のようにＴ１＝Ｔ２とする。
【００３０】
中蓋３に作用する開放方向の総合トルクはＴ１＋Ｔ３であり、また前蓋４に作用する閉鎖方向の総合トルクはＴ２＋Ｔ４である。またＴ３はＧ３が鉛直線Ｏ−Ｏ’と軸中心を含む面に接近していることから、ほぼゼロである。前記の総合トルクの大小関係はＴ２＋Ｔ４＞Ｔ１＋Ｔ３の関係に設定され、その差はほぼＴ４であり閉鎖方向のトルクの方が大きい。このため前蓋４は全閉状態を維持し、中蓋３は係合リブ２４と前蓋４の係合リブ３４の係合により閉鎖方向の力が作用して全閉状態となる。このとき、図６に示すように、中蓋付勢ばね４４は伸長状態にあり、前蓋付勢ばね４６は収縮状態にある。
【００３１】
図６において、中蓋３の重心Ｇ３を鉛直線Ｏ−Ｏ’の後方にあるように示しているが、前方にある場合もある。その場合は係合リブ１８、２５相互の係合により、中蓋３が自重で前方へ回転することを防止する。
【００３２】
次に、使用者が取手５３に手を掛けて前蓋４を開けようとすると、使用者はほぼトルクＴ４に打ち勝つだけのトルクＴ５を生じる力を加えればよい。各付勢ばね４４、４６のばね力に影響されることがないので軽く開放させることができる。前蓋４の開放に伴なって中蓋３はＴ１＋Ｔ３のトルクで回転する。トルクＴ３が次第に大きくなるとともに、前蓋４のトルクＴ４は小さくなるので、前蓋４は次第に軽く開放される。中蓋３と前蓋４は同時に開放され、前蓋４を急激に開放させない限り係合リブ２４と３４の係合は外れない。
【００３３】
前蓋４の開放角が大きくなると、図７に示すように、中蓋３が後蓋２の下端部に設けられたストッパー５４に当って止まる。このとき、使用者が前蓋４の取手５３から手を離すことがあると、中蓋３はＴ１＋Ｔ３のトルクでストッパー５４に衝突しようとするが、反対向きのトルクＴ２＋Ｔ４が作用するとともに、前蓋付勢ばね４６の弾性が係合リブ２４、３４の係合部分を通じて伝達されるので、その衝撃が緩和される。この状態から更に前蓋４が開放されると、図８に示すように、その前端縁がストッパー５４に当るが、この場合も仮に取手５３から手が離れても前蓋４を全開方向に作用させる自重によるトルクＴ４に対して付勢ばね４６によるトルクＴ２が逆方向に作用し、その弾性により前蓋４の衝撃が緩和される。
【００３４】
また、図８の全開状態から、使用者が取手５３を把持して前蓋４を閉鎖させようとすると、前記とは逆に付勢ばね４６によるトルクＴ２が作用することによりトルクＴ４に打ち勝って軽く閉鎖方向に回転させることができる。そして、図７の状態に戻ると係合リブ２４と３４が係合して中蓋３が閉鎖方向に回転され、図６の状態に戻って全閉状態となる。全閉状態となる直前で使用者の手が取手５３から離れることがあると、前蓋４の前縁がＴ２＋Ｔ４のトルクで本体１に衝突しようとするが、係合リブ２４、３４の係合部分を通じて中蓋３に反対方向のトルクＴ１＋Ｔ３が作用し、中蓋付勢ばね４４の弾性により衝撃が緩和される。
【００３５】
次に、図９及び図１０に示した第２実施形態のブレーキ装置について説明する。この第２実施形態は、乾燥器の構造は前記の第１実施形態の場合と同一であり、また中蓋３の回転中心の周りに設けた中蓋ワイヤ巻付け部２６にワイヤ４２を巻付けこれに中蓋付勢ばね４４を連結した構造（図９（ａ）（ｂ）参照）、また前蓋４の前蓋ワイヤ巻付け部３８にワイヤ４５を巻付け、これに前蓋付勢ばね４６を連結した構造（図１０（ａ）（ｂ）参照）においても共通する。相違する点は、前述の場合は中蓋ワイヤ巻付け部２６、前蓋ワイヤ巻付け部３８をともに同じ側（右側）に設け、それぞれに中蓋付勢ばね４４及び前蓋付勢ばね４６を連結しており、そのため中蓋ワイヤ巻付け部２６、前蓋ワイヤ巻付け部３８の径に差を付けていた。これに対して、第２実施形態の場合は、図９（ａ）（ｂ）に示すように、中蓋ワイヤ巻付け部２６とその付勢ばね４４を正面に向かって右側の中蓋ボス部２２に設け、また図１０（ａ）（ｂ）に示すように、前蓋ワイヤ巻付け部３８とその付勢ばね４６を左側の前蓋ボス部３５に設けている。このため、中蓋ワイヤ巻付け部２６と前蓋ワイヤ巻付け部３８の径を同一に形成することができ、前記トルクＴ１とＴ２のバランスを図るため、各付勢ばね４４、４６としてばね係数の等しいものを使用することができる。この第２実施形態のブレーキ装置の作用は、前述の場合と同様であるので省略する。
【００３６】
次に、図１１から図１５に示した第３実施形態も、乾燥器の構造は前述の場合と同様であるが、ブレーキ装置が相違する。即ち、前述の第２実施形態の場合の各付勢ばね４４、４６は引張り型のコイルばねを用いていたのに対し、この第３実施形態の場合は、圧縮型のコイルばねを用いて付勢ばね４４’、４６’としている点において相違し、そのような付勢ばね４４’、４６’を装着するためにボス部２２、３５の構造が一部相違している。
【００３７】
即ち、図１１に示すように、後蓋２の軸支持部１１において、軸部１３の周りに前記の外周壁１４に連続して同芯円形のガイド壁１４’を形成し、その軸部１３とガイド壁１４’との間にばね係止片５６を設けている。また、中蓋３のボス部２２’は環状をなす。そのボス部２２’は前記のガイド壁１４’の内周面と端面に回転自在に嵌合する断面Ｌ字形部分５７と、中蓋３との連結部が断面コ字形部分５８になっている（図１２（ｂ）参照）。前蓋４のボス部３５はスリーブ状の軸受３６’の周りに同芯状の２重の周壁５９、６１を設け、両方の周壁５９、６１間にばね係止片６２を設けている。このボス部３５は軸受３６’に軸部１３を嵌入させるとともに、外周側の周壁６１を前記中蓋３のボス部２２’の内周面に摺接させている。前記の後蓋２のばね係止片５６と前蓋４のばね係止片６２との位置関係は、蓋の全閉状態において、図１２（ａ）に示すように、後蓋２のばね係止片５６を基準にして前蓋４の開放方向（矢印Ａ参照）に見た場合、前蓋４のばね係止片６２の方が位相の進み側にあり、かつ相対的に接近した位置にある。両者の間に介在された前蓋付勢ばね４６’は最も圧縮された状態にある。前蓋４が開放されることにより、該付勢ばね４６’は伸長される（図１５（ａ）参照）。これにより、前蓋４に対し閉鎖方向のトルクＴ２を生じさせる。なお、該付勢ばね４６’の伸長時においてその内周面は前記の周壁５９により受けられる。
【００３８】
一方、左側においては、図１３及び図１４に示すように、後蓋２の軸支持部１１に設けた環状のガイド壁１４’の内側にばね係止片５６を設ける一方、中蓋３のボス部２２にもう一方のばね係止片６２を設けている。図１４（ａ）に示すように、蓋の全閉状態において、後蓋２のばね係止片５６を基準として中蓋３の開放方向（矢印Ｂ参照）に見た場合、中蓋３のばね係止片６２の方が位相の遅れ側にあり、かつ相対的に離れた位置関係にある。両者間に介在された中蓋付勢ばね４４’は最も伸長した状態にあり、これにより中蓋３に対し開放方向のトルクＴ１を生じさせる。なお、ガイド壁１４’の内側において、軸部１３と同芯状態でばね係止片５６より小径の部分に周壁６３が設けられる。これにより、伸長した中蓋付勢ばね４４’をその内径側から支持する。
【００３９】
上記のように、第３実施形態は付勢ばねが圧縮型に変わっただけであり、そのトルクの大きさや方向は前述の各実施形態と同様である。ブレーキ装置としての作用も同様であるのでその説明は省略する。
【００４０】
図１６は本体１の前面に設けられた操作パネル６４を示す（図１参照）。この操作パネル６４には、「スタート／切」と表示したスタートキー６５、「タイマー」と表示したタイマーキー６６、１０から６０までの数字を表示した６個の等間隔配列のＬＥＤ６７が設けられる。ＬＥＤ６７に付した数字は時間（単位：分）を表す。通常は標準食器量に対応した乾燥時間（例えば５０分）に設定される。
【００４１】
これらの部品を含む配線図は省略しているが、通常通り所定のプログラムを内蔵したマイコンを有し、スタートキー６５を使用者が押すことにより乾燥モードがスタートし乾燥室５の内部に温風が吹き込まれる。マイコンに内蔵されたタイマーは前記の標準食器量に応じた時間、即ち５０分の計時を開始し、同時に５０分の数字が付されたＬＥＤ６７が点灯される。乾燥時間の経過と共に１０分ごとの減算表示を行う。５０分が経過すると温風の吹き込みが停止され乾燥モードが終了する。乾燥モードの途中で停止させる場合は、もう一度スタートキー６５を押す。食器の量に応じてタイマーの設定を変える際にはタイマーキー６６を操作して、所望の時間に相当する位置のＬＥＤ６７を点灯させる。
【００４２】
なお、上記と同じ数のＬＥＤ６７を用いて５分間隔の時間表示をするために、単独点灯の場合をその数字通りの１０分単位の時間とし、隣接する２個のＬＥＤ６７の同時点灯をもって小さい方の数字に５分を加えた時間の表示とする手段もある。
【００４３】
前記のように、複数個のＬＥＤ６７の点灯位置の変化によってタイマー表示を行うことによって、ＬＣＤやセグメントＬＥＤを用いる場合に比べ廉価な表示パネル６４を提供することができる。
【００４４】
その他、前記各実施形態における部分的な変形例を以下に説明する。図１７（ａ）は、先に図４（ａ）、図９（ａ）等において示したばね受け部材４３の取付け部の補強を図るために、軸支持部１１に四角形のリブをはしご型、田の字型等に形成した補強部６８、６８’を設けたものである。図１７（ａ）に示したリブ５１、５２をそれぞれ衝撃吸収性にすぐれた素材（例えば、ポリプロピレン等）により形成し、中蓋付勢ばね４４、前蓋付勢ばね４６に接近し、振動の発生時に接触する間隔で設けることにより、これらのばね４４、４６が伸縮する際に発生する振動を抑制することができる。また、図１７（ｂ）に示したように、これらのリブ５１、５２に代えて円筒体５１’、５２’を用いても、同様の作用効果が得られる。これらの円筒体５１’、５２’はその背面に設けた長さ方向の平坦部６９を設け、軸支持部１１に固着される。
【００４５】
図１７（ｄ）は、前記の中蓋ワイヤ巻付け部２６（前蓋ワイヤ巻付け部３８においても同様）にワイヤ４２の脱落を防止するために、その先端部外周に脱落防止リブ７１を設けたものである。このようなリブ７１に代えて同（ｅ）に示したように、その巻付け部２６に脱落防止溝７２を設け、その溝７２にワイヤ４２を収納するようにしてもよい。
【００４６】
【発明の効果】
以上述べたように、この発明によれば、中蓋付勢ばねと前蓋付勢ばねにより反対方向のトルクを生じさせることにより、蓋の開閉時における緩衝作用を行わせ、これにより蓋開閉時の衝撃の発生を緩和することができる。また、蓋の開閉操作を行う使用者の手にばね荷重を作用させることがないので、軽く開閉することができる。さらに、蓋重量に応じてばね係数の異なった付勢ばねを用いることにより自由に対応することができる。
【図面の簡単な説明】
【図１】第１実施形態の食器乾燥器の斜視図
【図２】同上の分解斜視図
【図３】同上のブレーキ装置部分の分解斜視図
【図４】（ａ）同上のブレーキ装置部分の断面図
（ｂ）（ａ）図のｂ−ｂ線の断面図
【図５】同上の他の回転部分の断面図
【図６】同上の食器乾燥器の縦断側面図
【図７】同上の食器乾燥器の開放途中の断面図
【図８】同上の食器乾燥器の全開状態の断面図
【図９】（ａ）第２実施形態の一部右側面図
（ｂ）（ａ）図のｂ−ｂ線の断面図
【図１０】（ａ）第２実施形態の一部左側面図
（ｂ）（ａ）図のｂ−ｂ線の断面図
【図１１】第３実施形態の右側ブレーキ装置部分の分解斜視図
【図１２】（ａ）同上の一部縦断側面図
（ｂ）（ａ）図のｂ−ｂ線の断面図
【図１３】同上の左側ブレーキ装置部分の分解斜視図
【図１４】（ａ）図１３の一部縦断側面図
（ｂ）（ａ）図のｂ−ｂ線の断面図
【図１５】（ａ）同上のブレーキ装置部分の縦断右側面図
（ｂ）同上のブレーキ装置部分の縦断左側面図
【図１６】表示パネルの正面図
【図１７】（ａ）前記実施形態の変形例の一部縦断面図
（ｂ）同じく他の変形例の一部縦断面図
（ｃ）（ｂ）図のｃ−ｃ線の断面図
（ｄ）同じく他の変形例の一部断面図
（ｅ）同じく他の変形例の一部断面図
【符号の説明】
１  本体
２  後蓋
３  中蓋
４  前蓋
５  乾燥室
６  吹き出し口
７  食器かご
８  側板
９  ドーム壁
１１  軸支持部
１２  凹部
１３  軸部
１４  外周壁
１４’  ガイド壁
１５  ビス
１８  係合リブ
１９  側壁
２１  ドーム壁
２２、２２’  ボス部
２３  軸受
２４  係合リブ
２５  係合リブ
２６  中蓋ワイヤ巻付け部
２７  凹部
２８  小穴
２９  長穴
３１  突部
３２  側壁
３３  ドーム壁
３４  係合リブ
３５  ボス部
３６  軸受
３７  凹部
３８  前蓋ワイヤ巻付け部
３９  小穴
４１  突部
４２  ワイヤ
４３  ばね受け部材
４４、４４’  中蓋付勢ばね
４５  ワイヤ
４６、４６’  前蓋付勢ばね
４７  カバー部材
４８  突起
４９  抜け止めつば
５１  リブ
５１’  円筒体
５２  リブ
５２’  円筒体
５３  取手
５４  ストッパー
５６  ばね係止片
５７  断面Ｌ字形部分
５８  断面コ字形部分
５９  周壁
６１  周壁
６２  ばね係止片
６３  周壁
６４  表示パネル
６５  スタートキー
６６  タイマーキー
６７  ＬＥＤ
６８、６８’  補強部
６９  平坦部
７１  脱落防止リブ
７２  脱落防止溝
【図１】
2004351098.tif 000003
【図２】
2004351098.tif 000004
【図３】
2004351098.tif 000005
【図４】
2004351098.tif 000006
【図５】
2004351098.tif 000007
【図６】
2004351098.tif 000008
【図７】
2004351098.tif 000009
【図８】
2004351098.tif 000010
【図９】
2004351098.tif 000011
【図１０】
2004351098.tif 000012
【図１１】
2004351098.tif 000013
【図１２】
2004351098.tif 000014
【図１３】
2004351098.tif 000015
【図１４】
2004351098.tif 000016
【図１５】
2004351098.tif 000017
【図１６】
2004351098.tif 000018
【図１７】
2004351098.tif 000019